(57)【要約】  ラゲッジ製品は、ジッパーテープ（１４）を有する少なくとも１つのジッパー装置を有するジッパー付き開口部（１５）を含む本体を備える。ジッパー装置は、１つまたは複数のジッパースライダー（１６、２０）および１つまたは複数のジッパープルタブ（１８、２２）を含む。１つまたは複数のジッパースライダー（１６、２０）の各々は、１つまたは複数のジッパープルタブ（１８、２２）のそれぞれの１つに結合される。ラゲッジ製品は、１つまたは複数のジッパープルタブをジッパー装置のジッパーテープ（１４）に実質的に垂直な配置で保持するための手段（２６）を含む。
2021534838.tif 000002
【特許請求の範囲】
【請求項１】
ジッパーテープを有するジッパー装置と、
前記ジッパーテープに結合された第１のジッパースライダーを含む少なくとも１つのジッパースライダーと、
前記第１のジッパースライダーに結合された第１のジッパープルタブを含む少なくとも１つのジッパープルタブと、
前記第１のジッパープルタブが前記ジッパー装置の前記ジッパーテープに実質的に垂直な配置で保持されるように、使用されていないときに前記第１のジッパープルタブを固定位置に保持するための保持手段と、
を備えるジッププラー保持装置。
【請求項２】
前記保持手段はプラットフォームを含み、前記第１のジッパープルタブは第１のジッパー磁石を含み、前記プラットフォームおよび前記第１のジッパープルタブは、前記第１のジッパー磁石と前記プラットフォームとの間の第１の磁力によって、前記第１のジッパー磁石が前記プラットフォームの外面に係合して保持されるように構成される、請求項１に記載のジッププラー保持装置。
【請求項３】
前記プラットフォームは金属である、請求項２に記載のジッププラー保持装置。
【請求項４】
前記保持手段は、プラットフォームの内面に結合された第１の位置決め磁石を有するプラットフォームを含む、請求項１に記載のジッププラー保持装置。
【請求項５】
前記第１のジッパープルタブは第１のジッパー磁石を含み、前記プラットフォームおよび前記第１のジッパープルタブは、前記第１のジッパー磁石と前記第１の位置決め磁石との間の第１の磁力によって、前記第１のジッパー磁石が前記プラットフォームの外面に係合して保持されるように構成される、請求項４に記載のジッププラー保持装置。
【請求項６】
前記第１の位置決め磁石は第１の極性を有し、前記第１のジッパー磁石は前記第１の極性と反対の第２の極性を有する、請求項５に記載のジッププラー保持装置。
【請求項７】
前記プラットフォームは、前記プラットフォームの周囲の一部に沿った隆起部を有し、該隆起部は前記プラットフォームの前記外面を越えて外方に延在する、請求項５に記載のジッププラー保持装置。
【請求項８】
前記プラットフォームは４つの側面を有し、前記側面のうちの３つは前記隆起部を含み、第４の側面は前記隆起部を含まない、請求項７に記載のジッププラー保持装置。
【請求項９】
前記プラットフォームは、前記第１のジッパープルタブの第１の側面が前記プラットフォームの前記外面と係合するように、大きさを決められ、かつ構成され、それにより、前記隆起部は実質的に前記第１のジッパープルタブの周囲を取り囲む、請求項７に記載のジッププラー保持装置。
【請求項１０】
前記プラットフォームは、プラスチック、レザー、および金属のうちの少なくとも１つを含む、請求項４に記載のジッププラー保持装置。
【請求項１１】
前記第１のジッパースライダー及び第２のジッパースライダーを含む少なくとも２つのジッパースライダーと、前記第１のジッパープルタブ及び第２のジッパープルタブを含む少なくとも２つのジッパープルタブとをさらに含み、前記少なくとも２つのジッパースライダーのそれぞれは、前記少なくとも２つのジッパープルタブのそれぞれに結合され、前記第１のジッパープルタブは、第１のジッパー磁石に結合され、第２のジッパープルタブは第２のジッパー磁石に結合される、請求項４に記載のジッププラー保持装置。
【請求項１２】
前記プラットフォームは、該プラットフォームの前記内面に結合された少なくとも２つの位置決め磁石を含み、該少なくとも２つの位置決め磁石は、前記第１の位置決め磁石および第２の位置決め磁石を含み、前記少なくとも２つのジッパープルタブおよび前記プラットフォームは、前記第１のジッパー磁石と前記第１の位置決め磁石との間の第１の磁力によって、前記第１のジッパー磁石が前記プラットフォームの外側に係合して保持され、前記第２のジッパー磁石と前記第２の位置決め磁石との間の第２の磁力によって、前記第２のジッパー磁石が前記プラットフォームの外側に係合して保持されるように構成される、請求項１１に記載のジッププラー保持装置。
【請求項１３】
前記第１の位置決め磁石は第１の極性を有し、前記第１のジッパー磁石は前記第１の極性と反対の第２の極性を有し、前記第２の位置決め磁石は前記第２の極性を有し、前記第２のジッパー磁石は前記第１の極性を有する、請求項１２に記載のジッププラー保持装置。
【請求項１４】
各ジッパープルタブは長手方向軸を有する細長い本体を有し、前記長手方向軸は、それぞれのジッパープルタブが前記プラットフォームの外面と係合して保持されるときに、ジッパー付き開口部の縁部に対して実質的に垂直に延びる、請求項１２に記載のジッププラー保持装置。
【請求項１５】
各ジッパープルタブは、プルタブフレームと、該プルタブフレームに結合されたジッパー磁石のそれぞれの１つと、該ジッパー磁石および前記プルタブフレームの上に配置された把持面とを含む、請求項１２に記載のジッププラー保持装置。
【請求項１６】
各ジッパー磁石は、摩擦嵌合および接着剤の１つ以上によって前記プルタブフレームに結合される、請求項１５に記載のジッププラー保持装置。
【請求項１７】
前記把持面はゴムを含む、請求項１５に記載のジッププラー保持装置。
【請求項１８】
各プルタブフレームは金属を含む、請求項１５に記載のジッププラー保持装置。
【請求項１９】
前記プラットフォームは、該プラットフォームの周囲の一部に沿った隆起部を有し、該隆起部は前記プラットフォームの外面を越えて外方に延在する、請求項１２に記載のジッププラー保持装置。
【請求項２０】
前記プラットフォームは４つの側面を有し、該側面のうちの３つは前記隆起部を含み、第４の側面は前記隆起部を含まない、請求項１９に記載のジッププラー保持装置。
【請求項２１】
前記プラットフォームは、前記第１のジッパープルタブの第１の側面が前記プラットフォームの前記外面と係合し、前記隆起部が実質的に前記第１のジッパープルタブの周囲を取り囲むように、寸法を決定され、及び構成される、請求項７に記載のジッププラー保持装置。
【請求項２２】
前記プラットフォームは、前記第１のジッパープルタブの第１の側面が前記プラットフォームの前記外側と係合し、かつ前記第２のジッパープルタブの第１の側面が前記プラットフォームの前記外側と係合するように、寸法を決定され、及び構成され、それにより、前記隆起部が、実質的に、前記第１のジッパープルタブおよび前記第２のジッパープルタブの周囲を取り囲む、請求項１９に記載のジッププラー保持装置。
【請求項２３】
前記プラットフォームはジッパー付き開口部に近接するラッゲージ製品に取り付けられ、該ラッゲージ製品は外面を有する本体を含み、該本体は前記ジッパーテープによって固定された前記ジッパー付き開口部を含む、請求項２に記載のジッププラー保持装置。
【請求項２４】
前記プラットフォームは、前記本体の外面に、好ましくはステッチングおよび接着剤の１つによって固定される、請求項２３に記載のジッププラー保持装置。
【請求項２５】
前記プラットフォームは、前記本体の前記外面の側面パネルに取り付けられる、請求項２３に記載のジッププラー保持装置。
【請求項２６】
前記ラッゲージ製品は、前記本体の内面に固定される内側ライニングを含み、前記少なくとも１つの位置決め磁石は、前記プラットフォームの前記内面と前記内側ライニングとの間に配置される、請求項２３に記載のジッププラー保持装置。
【請求項２７】
前記ラッゲージ製品は、スーツケース、バックパック、ブリーフケース、ハンドバッグ、メッセンジャーバッグ、ダッフルバッグ、およびスポーツ用具バッグのいずれかである、請求項２３に記載のジッププラー保持装置。
【請求項２８】
外面を有する本体であって、ジッパーテープを有する少なくとも１つのジッパー装置によって固定されたジッパー付き開口部を有する本体であって、
前記ジッパー装置は少なくとも２つのジッパースライダーおよび少なくとも２つのジッパープルタブを含み、前記少なくとも２つのジッパープルタブのそれぞれは、前記少なくとも２つのジッパープルタブのそれぞれに結合され、前記少なくとも２つのジッパープルタブは、第１のジッパープルタブおよび第２のジッパープルタブを含む、本体と、
前記ジッパープルタブが使用されていないときに、前記少なくとも２つのジッパープルタブを前記ジッパー装置の前記ジッパーテープに実質的に垂直な配置で保持する保持手段と、を含む、ラゲッジ製品。
【請求項２９】
前記保持手段は、前記第１のジッパープルタブが第１のジッパー磁石に結合され、前記第２のジッパープルタブが第２のジッパー磁石に結合されている、請求項２８に記載のラゲッジ製品。
【請求項３０】
前記保持手段は、プラットフォームの内面に結合された少なくとも２つの位置決め磁石を備え、該少なくとも２つの位置決め磁石は、第１の位置決め磁石および第２の位置決め磁石を含み、前記少なくとも２つのジッパープルタブおよび前記プラットフォームは、前記第１のジッパー磁石と前記第１の位置決め磁石との間の第１の磁力によって、前記第１のジッパー磁石が前記プラットフォームの外面に係合して保持され、前記第２のジッパー磁石と前記第２の位置決め磁石との間の第２の磁力によって、前記第２のジッパー磁石が前記プラットフォームの外面に係合して保持されるように構成される、請求項２９に記載のラゲッジ製品。
【請求項３１】
前記第１の位置決め磁石は第１の極性を有し、前記第１のジッパー磁石は、前記第１の極性と反対の第２の極性を有し、前記第２の位置決め磁石は前記第２の極性を有し、前記第２のジッパー磁石は前記第１の極性を有する、請求項３０に記載のラゲッジ製品。
【請求項３２】
各ジッパープルタブは長手方向軸を有する細長い本体を備え、前記長手方向軸は、それぞれのジッパープルタブがプラットフォームの外面と係合して保持されているときに、ジッパー付き開口部の縁部に実質的に垂直に延びる、請求項３０に記載のラゲッジ製品。
【請求項３３】
前記プラットフォームは、好ましくはステッチと接着剤の１つによって、前記本体の前記外面に固定される、請求項３２に記載のラゲッジ製品。
【請求項３４】
前記プラットフォームは該プラットフォームの周囲の一部に沿って隆起部を有し、該隆起部は、前記プラットフォームの前記外面を越えて外方に延在する、請求項３０に記載のラゲッジ製品。
【請求項３５】
前記プラットフォームは４つの側面を有し、該側面のうちの３つは前記隆起部を含み、第４の側面が前記隆起部を含まず、前記プラットフォームは、前記第１のジッパープルタブの第１の側面と、第２のジッパープルタブの第１の側面とが、前記プラットフォームの前記外面と並んで係合し、かつ前記隆起部が、実質的に、前記第１および第２のジッパープルタブの周囲を取り囲むように、寸法を決定され、及び構成される、請求項３４に記載のラゲッジ製品。
【請求項３６】
前記本体の内面に固定される前記本体の内側ライニングをさらに備え、前記少なくとも２つの位置決め磁石は、前記プラットフォームの前記内面と前記内側ライニングとの間に配置される、請求項３３に記載のラゲッジ製品。
【請求項３７】
各ジッパープルタブはプルタブフレームを含み、各ジッパー磁石は、好ましくは、摩擦嵌め合い及び接着剤の１つ以上によって前記プルタブフレームに結合され、把持面が前記各ジッパー磁石及び前記プルタブフレームの上に配置される、請求項３０に記載のラゲッジ製品。
【請求項３８】
前記把持面はゴムを含む、請求項３７に記載のラゲッジ製品。
【請求項３９】
前記ゴムはエンボス加工される、請求項３８に記載のラゲッジ製品。
【請求項４０】
前記プルタブフレームは金属を含む、請求項３７に記載のラゲッジ製品。
【請求項４１】
前記プラットフォームは、プラスチック、金属、及び革のうちの少なくとも１つを含む、請求項３０に記載のラゲッジ製品。
【請求項４２】
前記本体は、スーツケース、バックパック、ブリーフケース、ハンドバッグ、メッセンジャーバッグ、ダフバッグ、およびスポーツ用具バッグのうちの１つの形態である、請求項２８に記載のラゲッジ製品。
【請求項４３】
前記プラットフォームは前記本体の前記外面の側面パネルに取り付けられる、請求項３０に記載のラゲッジ製品。
【請求項４４】
少なくとも１つのジッパープルタブをラゲッジ製品に保持する方法であって、第１のジッパープルタブを第１の磁力でプラットフォームに引き付けるステップを含む、方法。
【請求項４５】
第２の磁力で第２のジッパープルタブを前記プラットフォームに引き付けるステップをさらに含み、第１のジッパープルタブおよび第２のジッパープルタブが使用されていないときに、前記第１のジッパープルタブおよび前記第２のジッパープルタブが前記プラットフォームに対して並んで配置されて保持される、請求項４４に記載の方法。
【請求項４６】
前記プラットフォームを、ジッパー付き開口部を有するポケットを有する前記ラゲッジ製品の表面に固定するステップをさらに含む、請求項４５に記載の方法。
【請求項４７】
前記第１のジッパープルタブを引き付けるステップは、さらに、前記第１のジッパープルタブの長手方向軸が、前記ラゲッジ製品のジッパー付き開口部のエッジ部に実質的に垂直に延びるように、前記第１のジッパープルタブを引き付けるステップを含み、前記第２のジッパープルタブを引き付けるステップは、さらに、前記第２のジッパープルタブの長手方向軸が、前記ラゲッジ製品の前記ジッパー付き開口部の前記エッジ部に実質的に垂直に延びるように、前記第２のジッパープルタブを引き付けるステップを含む、請求項４５に記載の方法。
【請求項４８】
前記第１のジッパープルタブ及び前記第２のジッパープルタブが使用されていないときに、前記第１のジッパープルタブ及び前記第２のジッパープルタブの周囲を実質的に取り囲む隆起部を設けるステップを更に含む、請求項４５に記載の方法。
【発明の詳細な説明】
【技術分野】
【０００１】
本開示は、柔らかいシェルのラゲッジ、硬いシェルのラゲッジ、および他のバッグの種々の形状およびサイズのためのジッパー付きクロージャーに関する。他のバッグとしては、例えば、バックパック、ブリーフケース、スーツケース、トートバッグ、ポケットブック、財布、メッセンジャーバッグ、ダッフルバッグ、スポーツ用具バッグなどが挙げられる。
【背景技術】
【０００２】
ラッゲージ品目、特にラゲッジケース（スーツケース）は、多くの場合、補償的なラッゲージシェルの開閉、その他の用途の中でもポケットの開閉に使用される用途を含む、様々な目的のためのジッパーを含む。一部のバッグでは、ジッパーのジッパープルタブは、不正なアクセスを阻止するために、ラゲッジケースに取り付けられたロック機構によって固定されてもよい。ジッパーが、２つのジッパースライダーのそれぞれに対して１つのジッパープルタブを有するような複数のジッパープルタブを有する場合、ジッパープルタブは、ロック機構内に受け入れられるように、互いに連動するなどして、互いに対して特定の位置決めを必要とする場合がある。ジッパープルタブのこの相対的な位置決め、又は連動は、タスク照明が不十分である場合、又はジッパープルタブが別のジッパープルタブの一部に受け入れられるか又は挿入されるような特定の方法で互いに係合されなければならない場合など、多くの理由のために達成することが困難であり得る。更に、使用者は、ジッパープルタブをロック機構内に受け入れるための適切な相互係合方向に操作するために必要な器用さを有していないかもしれない。
【０００３】
本開示に関連し得る文献には、特許文献１、特許文献２、特許文献３、特許文献４、特許文献５、特許文献６、特許文献７、特許文献８、および特許文献９が含まれる。
【０００４】
特許文献３は、第１のジッパースライダーを第２のジッパースライダーまたはジッパークロージャーの端部のいずれかと動作可能にリンクする手段を開示している。ジッパーハンドルは、所定の位置に保持するように磁化されており、これは、ジップクロージャーシステムを開くことのない一定の方向にハンドルを引っ張ることを泥棒に示す傾向のある位置である。
【０００５】
特許文献８は、雌磁気プルタブと、互いに整列する雄磁気プルタブを有する磁気ジッパーを開示している。雄のプルタブには磁気機能があり、前面側に突起があり、磁気機能と一直線に並んでいる。雌のプルタブの背面側に空洞があり、２ つのプルタブを互いに固定する。
【０００６】
特許文献６は、プルタブがジッパーの方向に伸びるときに、ジッパーに対して垂直に伸びるクロスビームを持つプルタブを開示している。クロスビームの各端部は、ジッパーの端部付近のライニングクロス内の磁石に引き付けられる磁石を含む。
【０００７】
特許文献５は、２つのスライダーを有するジッパーを開示しており、各スライダーは、プルタブが分離しないように他方のプルタブに磁気的に引き付けられるプルタブを有する。
【０００８】
特許文献７は、永久磁石を含む第１のスライダと、リードスイッチを含む第２のスライダとを有するジッパーを開示している。リードスイッチは、最初のスライダと２番目のスライダが互いに離れている場合にプロンプトメッセージを送信する。
【０００９】
特許文献９は、ジッパーの下面ストッパの下に取り付けられた磁石に対して磁気的に保持されるジッパープルタブを開示している。図は、プルタブが磁石に対して磁気的に保持されているときに、プルタブがジッパーの方向と揃っていることを示している。
【００１０】
特許文献４は、スマート流体（smart fluid）または開口部の片側に磁性粒子が分散した印刷可能な組成物（printable composition）を含み、反対側に同様の磁性組成物を含む封入された磁性組成物を使用した、解放可能な閉鎖機構を開示している。この２つの磁性領域は、開口部を開放可能に閉鎖するために互いに引き合う。一実施形態によると、支持基板は、プリント磁石セグメントの所定のパターンと、プリント磁石セグメントの所定のパターンを有する相補的な支持基板とを有する。第１の支持基板は、閉鎖可能な物体のエッジに直接固定されてもよいし、閉鎖可能な物体のエッジに直接取り付けられるジッパーテープのような別の構造体に取り付けられてもよい。
【００１１】
特許文献１は、２つのスライダーを備えたジッパーを開示しており、各スライダーは、それに接続されたプルタブを備えている。プルタブは、ラッゲージ製品上のロックと係合する。
【００１２】
特許文献２は、それぞれがプルタブを有する２つのスライダを備えたジッパーを開示している。プルタブは、ジッパーの長手方向に延びる軸を中心として、一方のプルタブを他方に対して回すスライド−アンド−ターン動作によって互いに連動させることができる。
【先行技術文献】
【特許文献】
【００１３】
【特許文献１】欧州特許出願公開第２９２６６７９（Ａ１）号明細書
【特許文献２】欧州特許出願公開第２７１０９１５（Ａ２）号明細書
【特許文献３】欧州特許出願公開第２３８４６６０（Ａ３）号明細書
【特許文献４】国際公開第２０１６／１００５５３（Ａ１）号
【特許文献５】中国特許出願公開第１０４３８２３０２（Ａ）号明細書
【特許文献６】中国実用新案登録出願公開第２０１２３４６２１（Ｙ）号明細書
【特許文献７】中国実用新案出願第２０５５９７３９０（Ｕ）号明細書
【特許文献８】中国実用新案出願第２０４７４２８６１（Ｕ）号明細書
【特許文献９】中国実用新案出願第２０４８１２４１５（Ｕ）号明細書
【発明の概要】
【発明が解決しようとする課題】
【００１４】
改良されたラゲッジ、より具体的には、上述の問題に対処する改良されたジッパープル保持装置、および／またはより一般的に既存の装置に改良または代替を提供する改良されたジッパープル保持装置を提供することが望ましい。
【課題を解決するための手段】
【００１５】
本開示の態様は、第１のジッパープルタブを含むジッププラー保持装置、および使用されないときに第１のジッパープルタブを固定位置に保持するための手段に向けられる。実施形態は、ジッパーテープを有するジッパー装置を含むことができる。また、実施形態は、ジッパーテープに結合された第１のジッパースライダーと、第１のジッパースライダーに結合された第１のジッパープルタブとを含む、少なくとも１つのジッパースライダーを含むことができる。実施形態は、第１のジッパープルタブを、ジッパー装置のジッパーテープに実質的に垂直な配置で保持する手段を含むこともできる。
【００１６】
この態様の実施形態によれば、保持するための手段は、プラットフォームであり、第１のプルタブは、第１のジッパー磁石を含み、プラットフォームと第１のジッパープルタブは、第１のジッパー磁石とプラットフォームとの間の第１の磁力によって、第１のジッパー磁石がプラットフォームの外面に係合して保持されるように構成される。一部の実施形態では、プラットフォームには金属が含まれている。
【００１７】
この態様の実施形態によれば、保持するための手段は、プラットフォームの内面に結合された第１の位置決め磁石を有するプラットフォームとすることができる。さらに、第１のプルタブは、第１のジッパー磁石を含むことができる。この配置により、プラットフォームおよび第１のプルタブは、第１のジッパー磁石が、第１のジッパー磁石と第１の位置決め磁石との間の第１の磁力によって、プラットフォームの外面に係合して保持されるように構成される。
【００１８】
この態様の実施形態は、第１の位置決め磁石が第１の極性を有し、第１のジッパー磁石が第１の極性と反対の第２の極性を有することができる。
【００１９】
この態様の実施形態は、プラットフォームが、プラットフォームの周囲の一部に沿って隆起部を有し、隆起部が、プラットフォームの外面を越えて外方に延在することを含むことができる。この態様の実施形態は、プラットフォームが台形形状であることを含むことができる。この態様の実施形態は、プラットフォームが４つの側面を有することを含むことができ、側面のうちの３つは隆起部を含み、第４の側面は含まない。この態様の実施形態は、第１のジッパープルタブの第１の側面がプラットフォームの外面と係合するように、大きさを決められ、構成されているプラットフォームを含むことができ、その結果、隆起部が第１のジッパープルタブの周囲を実質的に取り囲む。
【００２０】
この態様の実施形態は、プラットフォームが、プラスチック、革、および金属のうちの少なくとも１つを含むことができる。
【００２１】
この態様の実施形態は、少なくとも２つのジッパースライダーおよび少なくとも２つのジッパープルタブを含むことができ、少なくとも２つのジッパースライダーのそれぞれは、少なくとも２つのジッパープルタブのそれぞれの１つに結合される。第１のジッパープルタブは、第１のジッパー磁石に結合され、第２のジッパープルタブは、第２のジッパー磁石に結合される。また、この態様の実施形態は、第１の位置決め磁石および第２の位置決め磁石を含むプラットフォームを含むことができる。この装置により、少なくとも２つのプルタブおよびプラットフォームは、第１のジッパー磁石が、第１のジッパー磁石と第１の位置決め磁石との間の第１の磁力によってプラットフォームの外側に係合して保持され、第２のジッパー磁石と第２の位置決め磁石との間の第２の磁力によって、第２のジッパー磁石がプラットフォームの外側に係合して保持されるように構成される。
【００２２】
この態様の実施形態は、第１の位置決め磁石が第１の極性を有し、第１のジッパー磁石が第１の極性と反対の第２の極性を有し、第２の位置決め磁石が第２の極性を有し、第２のジッパー磁石が第１の極性を有し、第２のジッパー磁石が第１の極性を有するように構成される。
【００２３】
この態様の実施形態は、各ジッパープルタブが、縦軸を有する細長い本体を含むことができる。この実施形態は、それぞれのジッパープルタブが、使用されていないときにそれぞれのジッパープルタブがプラットフォームの外面と係合して保持されるときに、長手方向軸がジッパー付き開口部のエッジに対して実質的に垂直に延びるように保持されることを含むことができる。
【００２４】
この態様の実施形態はまた、各ジッパープルタブが、プルタブフレームと、プルタブフレームに結合されたジッパー磁石と、ジッパー磁石およびプルタブフレームの上に配置された把持面とを含むことができる。この態様の実施形態は、各ジッパー磁石が、摩擦嵌合および接着剤のうちの１つまたは複数によってプルタブフレームに結合されることを含むこともできる。この態様の実施形態は、把持面がゴムを含むことを含むことができる。この態様の実施形態は、ゴムがエンボス加工されることを含むことができる。この態様の実施形態は、プルタブフレームが金属であることを含むことができる。
【００２５】
この態様の実施形態は、プラットフォームが、プラットフォームの周囲の一部に沿って隆起部を有し、隆起部が、プラットフォームの外面を越えて外方に延在することを含むことができる。この態様の実施形態は、プラットフォームが台形形状であることを含むことができる。この態様の実施形態は、プラットフォームが４つの側面を有することを含むことができ、側面のうちの３つは隆起部を含み、第４の側面は含まない。この態様の実施形態は、プラットフォームを含むことができ、第１のジッパープルタブの第１の側面がプラットフォームの外面と係合し、その結果、隆起部が第１のジッパープルタブの周囲を実質的に取り囲むように、プラットフォームが寸法決めされ、構成されることができる。
【００２６】
この態様の実施形態は、第１のジッパープルタブの第１の側面がプラットフォームの外側と係合し、第２のジッパープルタブがプラットフォームの外側と係合するように、リッジが第１のジッパープルタブおよび第２のジッパープルタブの周辺部を実質的に包囲するように、サイズ設定され構成されたプラットフォームを含むことができる。
【００２７】
この態様の実施形態は、プラットフォームが、ジッパー付き開口部に近接するラッゲージ製品に取り付けられ、ラッゲージ製品が、外面を有する本体を含み、本体が、ジッパーテープによって固定されたジッパー付き開口部を有する、ことを含むことができる。この態様の実施形態は、プラットフォームが、本体の外面に固定されることを含むことができる。この態様の実施形態は、プラットフォームが、第１のプルタブ又は少なくとも２つのプルタブをジッパーテープに実質的に垂直な配置で保持するように、本体の外面の側面パネルに取り付けられることを含むことができる。この態様の実施形態は、プラットフォームが、ステッチング及び接着剤の１つによって本体の外面に固定されることを含むことができる。
【００２８】
この態様の実施形態は、ラッゲージ製品が、本体の内面に固定される内側ライニングを含み、第１の位置決め磁石または少なくとも２つの位置決め磁石が、プラットフォームの内面と内側ライニングとの間に配置されることを含むことができる。
【００２９】
この態様の実施形態は、ラッゲージ製品がスーツケース、バックパック、ブリーフケース、ハンドバッグ、メッセンジャーバッグ、ダッフルバッグ、及びスポーツ用品バッグのいずれかであることを含むことができる。
【００３０】
本開示の一態様によれば、改良されたラッゲージ製品が提供される。改良されたラッゲージ製品は、外面を有する本体と、ジッパーテープを有する少なくとも１つのジッパー装置を有するジッパー開口部とを備える。ジッパー装置は、少なくとも１つのジッパースライダーと、それぞれのジッパースライダーに結合された少なくとも１つのジッパープルタブとを含む。いくつかの実施態様において、少なくとも１つのジッパースライダーは、第１のジッパースライダー及び第２のジッパースライダーを含み、少なくとも１つのジッパープルタブは、第１のジッパープルタブ及び第２のジッパープルタブを含み、ラッゲージ製品は、プルタブが使用されていないときに、少なくとも２つのプルタブをジッパー装置のジッパーテープに実質的に垂直な配置で保持するための手段も含む。
【００３１】
いくつかの実施形態では、保持するための手段は、第１のジッパー磁石に結合された第１のジッパープルタブ、第２のジッパー磁石に結合された第２のジッパープルタブを含む。第１のジッパー磁石および第２のジッパー磁石の各々は、磁石を含んでもよく、または含んでいなくてもよい、金属プラットフォームに磁気的に引き付けられてもよい。いくつかの実施形態では、保持するための手段は、プラットフォームの内面に結合された少なくとも２つの位置決め磁石を備え、少なくとも２つの位置決め磁石は、第１の位置決め磁石および第２の位置決め磁石を含む、本体の外面に固定されたプラットフォームをさらに含む。この装置により、少なくとも２つのプルタブとプラットフォームは、第１のジッパー磁石と第１の位置決め磁石との間の第１の磁力によって、第１のジッパー磁石がプラットフォームの外側に係合して保持され、第２のジッパー磁石と第２の位置決め磁石との間の第２の磁力によって、第２のジッパー磁石がプラットフォームの外側に係合して保持されるように構成される。
【００３２】
いくつかの実施形態では、第１の位置決め磁石は、第１の極性を有し、第１のジッパー磁石は、第１の極性と反対の第２の極性を有し、第２の位置決め磁石は、第２の極性を有し、第２のジッパー磁石は、第１の極性を有する。
【００３３】
いくつかの実施態様において、各ジッパープルタブは、それぞれのジッパープルタブがプラットフォームの外面に係合して保持されるとき、ジッパー開口の縁部に実質的に垂直に延びる長手方向軸を有する長手方向本体を含む。
【００３４】
いくつかの実施態様において、プラットフォームは、本体の外面に固定される。
【００３５】
いくつかの実施形態では、プラットフォームは、ステッチングおよび接着剤のうちの１つによって、本体の外面に固定される。
【００３６】
いくつかの実施態様において、プラットフォームは、プラットフォームの周囲の一部に沿って隆起部を有し、隆起部は、プラットフォームの外面を越えて外方に延在する。
【００３７】
一部の実施形態では、プラットフォームは台形形状である。
【００３８】
いくつかの実施態様において、プラットフォームは、４つの側面を有し、側面のうちの３つは、隆起部を含み、第４の側面は含まない。プラットフォームは、第１のジッパープルタブの第１の側面と、第２のジッパープルタブの第１の側面とが、横並びの配置でプラットフォームの外面と係合し、隆起部が、実質的に、第１および第２のジッパープルタブの周囲を取り囲むように、大きさおよび構成される。
【００３９】
いくつかの実施態様において、ラッゲージ製品は、本体の内面に固定される本体の内側ライニングをさらに含み、少なくとも２つの位置決め磁石は、プラットフォームの内面と内側ライニングとの間に配置される。
【００４０】
いくつかの実施形態では、各ジッパープルタブは、プルタブフレームを含み、それぞれのジッパー磁石は、プルタブフレームに結合され、把持面は、それぞれのジッパー磁石およびプルタブフレームの上に配置される。いくつかの実施態様において、把持面は、それぞれのジッパー磁石及びプルタブフレーム上にオーバーモールドされる。
【００４１】
いくつかの実施態様において、それぞれのジッパー磁石は、摩擦嵌め合い及び接着剤の１つ以上によってそれぞれのプルタブフレームに結合される。
【００４２】
いくつかの実施形態では、把持面はゴムを含む。一部の実施形態では、ゴムはエンボス加工されている。いくつかの実施態様において、プルタブフレームは金属を含む。
【００４３】
いくつかの実施形態では、プラットフォームは、プラスチック、金属、および革のうちの少なくとも１つを含む。
【００４４】
いくつかの実施形態では、少なくとも２つのジッパープルタブは、２つのジッパープルタブである。
【００４５】
いくつかの実施形態では、本体は、スーツケース、バックパック、ブリーフケース、ハンドバッグ、メッセンジャーバッグ、ダフバッグ、およびスポーツ用具バッグのうちの１つの形態である。
【００４６】
いくつかの実施態様において、プラットフォームは、少なくともプルタブをジッパー装置のジッパーテープに実質的に垂直な配置で保持するように、本体の外面の側面パネルに取り付けられる。
【００４７】
本開示の別の態様によれば、ラッゲージ製品は、外面を有する本体を含み、本体は、少なくとも１つのジッパー装置によって固定されたジッパー付き開口部を含む。ジッパー装置は、少なくとも２つのジッパースライダー及び少なくとも２つのジッパープルタブを含む。少なくとも２つのジッパースライダーの各々は、少なくとも２つのジッパープルタブのそれぞれの１つに結合される。少なくとも２つのジッパープルタブには、第１のジッパープルタブと第２のジッパープルタブがある。第１のジッパープルタブは、第１のジッパー磁石を含み、第２のジッパープルタブは、第２のジッパー磁石を含む。また、ラッゲージ製品は、プラットフォームの内面に隣接する少なくとも２つの位置決め磁石を備える、本体の外面に固定されたプラットフォームを含む。少なくとも２つの位置決め磁石は、第１の位置決め磁石及び第２の位置決め磁石を含む。少なくとも２つのプルタブおよびプラットフォームは、第１のジッパー磁石が、第１のジッパー磁石と第１の位置決め磁石との間の第１の磁力によってプラットフォームの外側に係合して保持され、第２のジッパー磁石と第２の位置決め磁石との間の第２の磁力によって、第２のジッパー磁石がプラットフォームの外側に係合して保持されるように構成される。
【００４８】
いくつかの実施形態では、第１の位置決め磁石は、第１の極性を有し、第１のジッパー磁石は、第１の極性と反対の第２の極性を有し、第２の位置決め磁石は、第２の極性を有し、第２のジッパー磁石は、第１の極性を有する。
【００４９】
いくつかの実施態様において、各ジッパープルタブは、それぞれのジッパープルタブがプラットフォームの外面に係合して保持されるとき、ジッパー開口の縁部に実質的に垂直に延びる長手方向軸を有する長手方向本体を含む。
【００５０】
いくつかの実施態様において、プラットフォームは、本体の外面に固定される。
いくつかの実施形態では、プラットフォームは、ステッチングおよび接着剤のうちの１つによって、本体の外面に固定される。
【００５１】
いくつかの実施態様において、プラットフォームは、プラットフォームの周囲の一部に沿って隆起部を有し、隆起部は、プラットフォームの外面を越えて外方に延在する。
【００５２】
一部の実施形態では、プラットフォームは台形形状である。
【００５３】
いくつかの実施態様において、プラットフォームは、４つの側面を有し、側面のうちの３つは、隆起部を含み、第４の側面は含まない。プラットフォームは、第１のジッパープルタブの第１の側面と、第２のジッパープルタブの第１の側面とが、横並びの配置でプラットフォームの外面と係合し、隆起部が、実質的に、第１および第２のジッパープルタブの周囲を取り囲むように、大きさおよび構成される。
【００５４】
いくつかの実施態様において、ラッゲージ製品は、本体の内面に固定される本体の内側ライニングをさらに含み、少なくとも２つの位置決め磁石は、プラットフォームの内面と内側ライニングとの間に配置される。
【００５５】
いくつかの実施態様において、各ジッパープルタブは、プルタブフレームを含み、各ジッパー磁石は、プルタブフレームに結合されている。いくつかの実施形態では、把持面は、それぞれのジッパー磁石およびプルタブフレームの上に配置される。いくつかの実施形態では、把持面は、それぞれのジッパー磁石およびプルタブフレームの上に配置される。
【００５６】
いくつかの実施態様において、それぞれのジッパー磁石は、摩擦嵌め合い及び接着剤の１つ以上によってそれぞれのプルタブフレームに結合される。
【００５７】
いくつかの実施形態では、把持面はゴムを含む。
一部の実施形態では、ゴムはエンボス加工されている。
【００５８】
いくつかの実施態様において、プルタブフレームは、金属を含む。
【００５９】
いくつかの実施形態では、プラットフォームは、プラスチック、金属、および革のうちの少なくとも１つを含む。
【００６０】
いくつかの実施態様において、少なくとも２つのジッパープルタブは２つのジッパープルタブである。
【００６１】
いくつかの実施形態では、本体は、スーツケース、バックパック、ブリーフケース、ハンドバッグ、メッセンジャーバッグ、ダフバッグ、およびスポーツ用具バッグのうちの１つの形態である。
【００６２】
いくつかの実施態様において、プラットフォームは、少なくともプルタブをジッパー装置のジッパーテープに実質的に垂直な配置で保持するように、本体の外面の側面パネルに取り付けられる。
【００６３】
本開示の別の態様によれば、ラッゲージ製品を組み立てる方法であって、該方法は、外面を有し、該本体は、ジッパーテープを有する少なくとも１つのジッパー装置を有し、該ジッパー装置は、少なくとも２つのジッパースライダー及び少なくとも２つのジッパープルタブのそれぞれに結合された少なくとも２つのジッパープルタブを含み、該少なくとも２つのジッパープルタブは、第１のジッパープルタブ及び第２のジッパープルタブを含む、本体を提供することと、該ジッパー装置のジッパーテープに実質的に垂直な配置で該少なくとも２つのプルタブを保持する手段を提供することとを含む。
【００６４】
いくつかの実施形態では、保持するための手段を提供することは、第１のジッパープルタブを第１のジッパー磁石に結合することと、第２のジッパープルタブを第２のジッパー磁石に結合することと、プラットフォームを本体の外側に固定することであって、プラットフォームは、プラットフォームの内面に結合された少なくとも２つの位置決め磁石を含み、少なくとも２つの位置決め磁石は、第１の位置決め磁石および第２の位置決め磁石を含む、ことと、第１のジッパー磁石と第１の位置決め磁石との間の第１の磁力によって、第１のジッパー磁石がプラットフォームの外側に係合して保持され、第２のジッパー磁石と第２の位置決め磁石との間の第２の磁力によって、プラットフォームの外側に係合して保持されるように、少なくとも２つのプルタブおよびプラットフォームを構成することとを含む。
【００６５】
いくつかの実施形態では、第１の位置決め磁石は、第１の極性を有し、第１のジッパー磁石は、第１の極性と反対の第２の極性を有し、第２の位置決め磁石は、第２の極性を有し、第２のジッパー磁石は、第１の極性を有する。
【００６６】
いくつかの実施態様において、各ジッパープルタブは、それぞれのジッパープルタブがプラットフォームの外面に係合して保持されるとき、ジッパー開口の縁部に実質的に垂直に延びる長手方向軸を有する長手方向本体を含む。
【００６７】
いくつかの実施形態では、本方法は、本体の外表面にプラットフォームを固定するステップをさらに含む。
【００６８】
いくつかの実施形態では、本方法は、ステッチングおよび接着剤のうちの１つによって、本体の外面にプラットフォームを固定するステップをさらに含む。
【００６９】
いくつかの実施態様において、プラットフォームは、プラットフォームの周囲の一部に沿って隆起部を有し、隆起部は、プラットフォームの外面を越えて外方に延在する。
【００７０】
一部の実施形態では、プラットフォームは台形形状である。
【００７１】
いくつかの実施態様において、プラットフォームは、４つの側面を有し、側面のうちの３つは、隆起部を含み、第４の側面は含まない。プラットフォームは、第１のジッパープルタブの第１の側面と、第２のジッパープルタブの第１の側面とが、横並びの配置でプラットフォームの外面と係合し、隆起部が、実質的に、第１および第２のジッパープルタブの周囲を取り囲むように、寸法が決められ、および構成される。
【００７２】
いくつかの実施態様において、本方法は、本体の内側ライニングを本体の内面に固定するステップと、プラットフォームの内面と内側ライニングとの間に少なくとも２つの位置決め磁石を配置するステップとをさらに含む。
【００７３】
いくつかの実施形態では、この方法は、各ジッパープルタブにプルタブフレームを設け、それぞれのジッパー磁石をプルタブフレームに結合するステップと、それぞれのジッパー磁石およびプルタブフレームの上に把持面をオーバーモールドするステップとをさらに含む。
【００７４】
いくつかの実施態様において、該方法は、各々のジッパー磁石をそれぞれのプルタブフレームに摩擦嵌め合い及び接着剤のうちの１つ以上によって結合することをさらに含む。
【００７５】
いくつかの実施形態では、把持面はゴムを含む。いくつかの実施態様において、本方法は、ゴムをエンボス加工することをさらに含む。いくつかの実施態様において、プルタブフレームは、金属を含む。いくつかの実施形態では、プラットフォームは、プラスチック、金属、および革のうちの少なくとも１つを含む。
【００７６】
いくつかの実施形態では、少なくとも２つのジッパープルタブは、２つのジッパープルタブである。
【００７７】
いくつかの実施形態では、本体を提供することは、スーツケース、バックパック、ブリーフケース、ハンドバッグ、メッセンジャーバッグ、ダフバッグ、およびスポーツ用具バッグのうちの１つの形態で本体を提供することをさらに含む。
【００７８】
いくつかの実施態様において、本方法は、ジッパー装置のジッパーテープに実質的に垂直な配置で少なくともプルタブを保持するように、本体の外面の側面パネルにプラットフォームを取り付けるステップをさらに含む。
【００７９】
本開示の別の態様によれば、少なくとも１つのジッパープルタブをラッゲージ製品に保持する方法は、第１のジッパープルタブを第１の磁力でプラットフォームに引き付けることを含む。この態様の実施形態は、第２の磁力で第２のジッパープルタブをプラットフォームに引き付けることを含むことができる。この態様の実施形態は、第１のジッパープルタブ及び第２のジッパープルタブをプラットフォームに引き付けることを含むことができ、その結果、第１のジッパープルタブ及び第２のジッパープルタブが使用されていないときに、第１のジッパープルタブ及び第２のジッパープルタブがプラットフォームに対して並んで配置されて保持される。
【００８０】
本態様のいくつかの実施態様において、本方法は、ジッパー付き開口部を有するポケットを有するラッゲージ製品の表面にプラットフォームを固定するステップをさらに含む。
【００８１】
態様のいくつかの実施態様において、第１のジッパープルタブを引き付けるステップは、さらに、第１のジッパープルタブの長手方向軸がラッゲージ製品のジッパー付き開口部のエッジ部に実質的に垂直に延びるように、第１のジッパープルタブを引き寄せるステップを含み、第２のジッパープルタブを引き寄せるステップは、さらに、第２のジッパープルタブの長手方向軸がラッゲージ製品のジッパー付き開口部のエッジ部に実質的に垂直に延びるように、第２のジッパープルタブを引き寄せるステップを含む。
【００８２】
態様のいくつかの実施態様では、方法は、第１のジッパープルタブ及び第２のジッパープルタブが使用されていないときに、第１のジッパープルタブ及び第２のジッパープルタブの周囲を実質的に囲む隆起部を設けるステップを更に含む。
【００８３】
添付図面を参照して、少なくとも１つの実施形態の種々の態様を以下に論じる。図は、説明および説明の目的で提供されたものであり、発明の制限の定義として意図されたものではない。
【図面の簡単な説明】
【００８４】
【図１】図１は本開示によるジッププラー保持装置を含むバックパックの斜視図である。
【図２】図２は図１のバックパックに固定されたプラットフォームを含むジッププラー保持装置の拡大図である。
【図３】図３はプラットフォームの内面に結合された磁石の図である。
【図４】図４は図１のバックパックの内部の斜視図である。
【図５】図５は本開示によるジッパープルタブフレームの底部斜視図である。
【図６】図６は図５のジッパープルタブフレームと別フレームのジッパー磁石の上面斜視図である。
【図７】図７は、ジッパー磁石がジッパープルタブフレームに固定されている図６のジッパープルタブフレーム及びジッパー磁石の上面斜視図である。
【図８】図８は、完全に形成されたプルタブの上面斜視図であり、オーバーモールドが、図７のジッパー磁石およびジッパープルタブフレーム上に延在している。
【図９】図１のバックパックの正面図である。
【発明を実施するための形態】
【００８５】
使用される参照番号については、明細書及び図面の全体を通して、次の番号を使用する。図又は詳細な説明において技術的特徴にこれらの参照番号が付されている場合は、その参照番号は、図又は詳細な説明の理解を高めることのみを目的として含まれている。従って、引用符号もその不存在も、いかなるクレーム要素の技術的範囲にも制限的効果を及ぼすことを意図していない。図において、種々の図に示されている各々の同一又はほぼ同一の構成要素は、同一の数字で表されている。分かりやすくするために、すべての構成部品に符号を付けることはできない。
【００８６】
ここで、添付図面に図示されている代表的な実施形態を詳細に参照する。以下の説明は、実施形態を１つの好ましい実施形態に限定することを意図したものではないことを理解されたい。反対に、それらは、添付の特許請求の範囲によって定義される記載された実施形態の精神および範囲内に含まれ得る代替物、修正物、および同等物をカバーすることを意図している。
【００８７】
本開示は、ジッパープルタブをジッパーテープに対して実質的に垂直な方向に保持し、少なくとも１つのジッパープルタブのための便利な位置を提供するためのジッププラー保持装置に関する。一実施形態では、ジッパー装置は、少なくとも１つのジッパープルタブを磁気的に引き付けるために少なくとも１つの磁石を含むラッゲージ製品に固定することができるプラットフォームを含む。いくつかの実施形態では、各ジッパープルタブは、プラットフォーム内の少なくとも１つの磁石に引き寄せる極性を有する磁石を含む。
【００８８】
説明および図示の目的のために、本開示のジッププラー装置を使用することができる、限定ではなく、図１は、バックパック１０の本体の斜視図を示す。このバックパックは、ジッププラー装置が一緒に使用可能であり、ジッププラー装置が、バックパック、ブリーフ、ブリーフケース、ラッゲージ項目およびジッパーエンクロージャを含む他の任意の物項目のような多数の物項目と一緒に使用可能であることを理解されたい。バックパック１０は、外面１２と、個人がバックパック１０の第１の内部部分にアクセスできるようにする第１のジッパー付き開口部１５の周囲に沿って延在するジッパーテープ１４とを有する。この実施形態に例示されているように、ジッパーテープ１４は、バックパック１０の第１の側面、頂部、および第２の側面にわたって延在して、ポケット閉鎖を提供する。他の実施形態では、ジッパーテープが、ラッゲージ製品の少なくとも１つの側面にわたって延在する。いくつかの実施態様において、ジッパーテープは、ラッゲージ製品の片側のみにわたって延在する。ジッパーテープは、ラッゲージ製品に一般的に使用される種々のジッパーテープから選択することができる。ジッパーテープには歯が含まれる。いくつかの実施形態では、歯は、プラスチック、金属、および／または別の材料で作られる。
【００８９】
いくつかの実施形態では、ジッパー装置は、ジッパーテープに沿って移動してジッパー開口部を開閉する少なくとも２つのジッパースライダーと、少なくとも２つのジッパープルタブとを含み、各ジッパースライダーは、ジッパープルタブのそれぞれに結合されている。任意のジッパーテープが考えられることは理解されるべきである。
【００９０】
図１は、第１のジッパープルタブ１８に結合された第１のジッパースライダー１６と、第２のジッパープルタブ２２に結合された第２のジッパースライダー２０とを示す。第１のジッパースライダー１６をジッパーテープ１４に沿って移動させるために、個人は、第１のジッパープルタブ１８をジッパーテープ１４に沿った方向に引っ張ることができる。第２のジッパースライダー２０をジッパーテープ１４に沿って移動させるために、個人は、第２のジッパープルタブ２２をジッパーテープ１４に沿った方向に引っ張ることができる。
【００９１】
図１において、ジッパーの装置は閉じた状態で示されており、第１のジッパープルタブ１８及び第２のジッパープルタブ２２は、プラットフォーム２６上で互いにしっかりと隣接して保持されている。少なくとも１つの実施形態では、第１のジッパープルタブ１８と第２のジッパープルタブ２２とが、バックパック１０の外側表面１２に固定されているプラットフォーム２６の外側プラットフォーム表面２４と係合して磁気的に保持されている。種々の実施形態において、プラットフォーム２６は、接着剤、ステッチ、または別の固定手段によって、バックパック１０の外面１２に固定されてもよい。いくつかの実施態様において、接着剤はのり状接着剤である。
【００９２】
図示のように、第１のジッパープルタブ１８は、ジッパーテープ１４の配向に対して実質的に垂直な方向に保持される。特に、第１のジッパープルタブ１８は、第１のジッパープルタブ１８がプラットフォーム２６の外面２４に係合して保持されるとき、ジッパー引っ張りタブ付き開口部１５のエッジに対して実質的に垂直に保持されるジッパー引っ張りプルタブの長さＬに沿った長手軸を有する細長い本体を有している。同様に、第２のジッパープルタブ２２は、ジッパーテープ１４の配向に対して実質的に垂直な配向に保持される。特に、第２のジッパープルタブ２２は、第２のジッパープルタブ２２がプラットフォーム２６の外面２４と係合して保持されているときに、ジッパー付き開口部の縁部に対して実質的に垂直に延びるジッパープルタブの長さＬに沿った長手軸線を有する細長い本体を有している。
【００９３】
いくつかの実施態様では、プラットフォーム２６は、ジッパー装置のジッパーテープに実質的に垂直な配置でジッパープルタブを保持するように、ラッゲージ製品の本体の外面の側面パネルのようなパネルに取り付けられる。例えば、プラットフォームは、ラッゲージ製品の側面、上面、前面、又は別の表面上にあってもよい。
【００９４】
プラットフォーム２６は、図１のバックパック１０の側面に示されている。いくつかの実施形態では、プラットフォーム２６は、図１に例示されているように、バックパック１０が直立位置にあるときに、重力によって単にバックパック１０の側面から垂れ下がるのではなく、ジッパープルタブのための固定された、便利で使いやすい位置を提供するように、第１のジッパープルタブ１８及び第２のジッパープルタブ２２を磁気的に保持するように構成されている。
【００９５】
プラットフォーム２６は、第１のジッパープルタブ１８と係合し、保持するようにサイズ設定され、第２のジッパープルタブ２２と係合し、保持するように構成されている外面２４を含んでいる。図１に示すように、プラットフォーム２６は、第１のジッパープルタブ１８及び第２のジッパープルタブ２２をプラットフォーム２６上に並べて配置して保持することを可能にする。様々な実施形態では、プラットフォーム２６の外面２４は、プラスチック、金属、革、および／または別の材料などの材料で作られる。当然のことながら、当該技術分野で一般的である任意の材料を使用することができる。様々な実施形態では、プラットフォーム２６全体が、プラスチック、金属、革、および／または別の材料などの材料で作られる。
【００９６】
図２は、図１のジッププラー保持装置の拡大図を示す。図２では、プラットフォーム２６の外面２４は、実質的に扁平状であるとして図示されている。いくつかの実施形態では、プラットフォームの外面は、プラットフォームが固定されているラッゲージ製品の湾曲と一致してもよい。いくつかの実施態様において、プラットフォーム２６の外面２４は、固定されているラッゲージ製品の外面から凹ませることができる。いくつかの実施態様において、ラッゲージ製品の外面と同一平面上にプラットフォームを配置することができる。
【００９７】
いくつかの実施形態では、プラットフォームは、プラットフォーム上のジッパープルタブの移動を制限するための隆起部を含む。図２において、プラットフォーム２６は、プラットフォーム２６の周囲３０の一部に沿った隆起部２８を含む。いくつかの実施形態において、プラットフォームは、４つの側面を有し、側面のうちの３つは、隆起部を含んでいるが、第４の側面は含んでいない。いくつかの実施態様において、プラットフォームは、第１のジッパープルタブ及び第２のジッパープルタブが、横並びの配置で、プラットフォームの外面と係合し、隆起部が、第１及び第２のジッパープルタブの周囲を実質的に取り囲むように、大きさ及び構成される。
【００９８】
図２において、その周囲３０を含むプラットフォームの形状は、台形である。図２に示すように、いくつかの実施態様において、隆起部２８は、プラットフォームの周囲３０の３つの側面に沿って延在する。
【００９９】
いくつかの実施形態では、隆起部は、プラットフォーム上のジッパープルタブを保持するのを助けるように構成され、寸法決めされてもよい。例えば、幾つかの実施形態では、ジッパータブがプラットフォームに対して保持されているときに、プラットフォームの外面の平面におけるジッパータブの回転を防止するように、隆起部が寸法決めされている。いくつかの実施形態では、隆起部は傾斜しており、ラッゲージ製品の外面に沿ってスライドする物体が隆起部に向かってスライドしなければならないような十分な高さを有し、それによって、物体がジッパープルタブの１つまたは複数がプラットフォームとの磁気的係合から外れるのを防止する。同様に、隆起部は、ジッパープルタブが、プラットフォームの周囲を越えて隆起部を上下にスライドするのを防止するように寸法が決められ、構成されている。
【０１００】
様々な実施形態では、プラットフォームは、少なくとも１つのジッパープルタブを支持するように構成される。いくつかの実施形態では、プラットフォームは、少なくとも２つのジッパープルタブを支持するように構成される。いくつかの実施態様において、プラットフォームは、複数のジッパー付き開口部からジッパープルタブを支持するように構成される。例えば、単一のプラットフォームは、第１のジッパー付き開口部からの２つのジッパープルタブと、第２のジッパー付き開口部からの２つのジッパープルタブとを含む４つのジッパープルタブを支持するように構成されてもよい。
【０１０１】
各ジッパープルタブは、ジッパー装置のジッパーテープに対して実質的に垂直にジッパープルタブを保持する手段によって、プラットフォームの外面に対して保持することができる。実施形態では、ジッパープルタブを保持するためのこの手段は、磁気的である。いくつかの実施形態では、ジッパープルタブを保持する手段は、プラットフォームの少なくとも１つの磁石からの磁力である。いくつかの実施形態では、プルタブを保持する手段は、プラットフォームの少なくとも１つの磁石およびジッパープルタブの少なくとも１つの磁石からの磁力である。
【０１０２】
図３は、図２のプラットフォームの一実施形態を示す。図３のプラットフォームでは、プラットフォーム磁石３２、３４がプラットフォーム２６に結合されている。いくつかの実施形態では、プラットフォーム磁石は、プラットフォーム２６の外面２４に対向するプラットフォーム２６の内面に隣接して位置している。特に、図３は、プラットフォーム２６の内面３６に固定された第１のプラットフォーム磁石３２および第２のプラットフォーム磁石３４を示す。各プラットフォーム磁石３２、３４は、当該技術分野で使用される接着剤、磁力、または別の固定手段によってプラットフォーム２４の内面３６に固定されてもよい。
【０１０３】
図４は図１のバックパックの内部の斜視図である。バックパック１０において、プラットフォーム磁石３２、３４は、プラットフォーム２６の内面３６とバックパックのライニング３８との間に配置することができる。この配置により、プラットフォーム磁石３２、３４は、ライニング３８によってバックパック１０の内部ポケットから分離される。
【０１０４】
各プラットフォーム磁石３２、３４は、ジッパープルタブ１８、２２のそれぞれのジッパープルタブをプラットフォーム２６の外面２４に対して磁気的に保持するように配向され、構成されている。本明細書でより詳細に説明するように、第１のプラットフォーム磁石３２は、第１のジッパープルタブ１８をプラットフォーム２６上の第１の位置に磁気的に引き付けるように構成され、第２のプラットフォーム磁石３４は、第２のジッパープルタブ２２をプラットフォーム２６上の第２の位置に磁気的に引き付けるように構成される。一例として、図３に示すように、第１のプラットホーム磁石３２は、外側プラットホーム表面２４と同じ方向に面するＮ極を有し、外側プラットホーム表面２４から離れてバックパック１０の内部に向かう方向に面するＳ極を有する。第２のプラットフォーム磁石３４は、外側プラットホーム表面２４と同じ方向に面するＳ極を有し、外側プラットホーム表面２４から離れてバックパック１０の内部に向かうＮ極を有する。
【０１０５】
いくつかの実施形態では、ジッパープルタブ１８、２２およびプラットフォーム２６の磁気吸引を容易にし、かつプラットフォーム２６上のジッパープルタブ１８、２２の適切な位置決めを容易にするために、各ジッパープルタブ１８、２２はそれぞれのジッパー磁石を含む。
【０１０６】
図５〜８は、本開示のいくつかの実施形態による、ジッパープルタブアセンブリの構成要素およびジッパープルタブを組み立てるステップを示す。図５は、ジッパープルタブフレーム５０の背面部分を示し、図６は、ジッパープルタブフレームの前面部分を示す。いくつかの実施態様において、ジッパープルタブフレーム５０は、金属で形成される。いくつかの実施態様において、ジッパープルタブフレーム５０は、別の材料で形成される。ジッパープルタブフレーム５０は、長手方向に延びるフレーム部分５２と、横方向に延びるフレーム部分５４とを含む。ジッパープルタブフレーム５０は、例えば、一体の工作物からジッパープルタブフレーム５０を鋳造又は機械加工することによって一体に形成することができる。いくつかの実施態様において、ジッパープルタブフレーム５０は、例えば、２つ以上のフレーム部分を一緒に溶接することによって、前部及び後部のような２つ以上のフレーム部分を一緒に結合することによって形成されてもよい。
【０１０７】
図６に示されるように、ジッパープルタブフレーム５０の前部の横方向延在フレーム部分５４は、ジッパー磁石５８を受け入れて支持するように構成された表面５６を含む。ジッパー磁石５８は、例えば接着剤によって、摩擦嵌めによって、又は磁石を第１の平面表面に固定する別の方法によって、ジッパープルタブフレーム５０の表面５６に結合することができる。図７を参照すると、ジッパープルタブフレーム５０の表面５６に固定された状態で、ジッパー磁石５８が示されている。
【０１０８】
図８を参照すると、完全に組み立てられたジッパープルタブの実施形態が示されている。特に、ジッパー磁石５８は、一般に６０で示されているジッパープルタブ本体内に、ジッパー磁石５８および少なくともジッパープルタブフレーム５０の一部の上に延在する把持面６２によって包囲されている。いくつかの実施形態では、把持面６２はオーバーモールディングである。いくつかの実施形態では、把持面は、個々の指で容易に把持できるゴムまたは別の材料を含む。一部の実施形態では、ゴムはエンボス加工されている。図８の実施形態では、ジッパープルタブフレーム５０は平滑な金属表面であり、把持面６２はオーバーモールドされたゴムである。オーバーモールドは、個人がジッパープルタブのオーバーモールド６２を握るのを一人ひとりの指でより容易にするために、テクスチャー加工された表面６４を含む。
【０１０９】
したがって、一実施形態では、ジッパー磁石が、ジッパープルタブ本体内に含まれる。ジッパープルタブ本体は、ジッパープルタブフレーム部分を含む。ジッパープルタブ本体には、ジッパー磁石とジッパープルタブフレームの一部を覆うグリップ面がある。いくつかの実施態様において、把持面は、ジッパープルタブフレーム部分に固定されるエンボスゴム材料である。
【０１１０】
いくつかの実施形態では、それぞれのジッパープルタブにおけるジッパー磁石５８の磁場は、ジッパープルタブがプラットフォームの外面に対して磁気的に保持されるときに、プラットフォームがジッパーテープに対して垂直に各ジッパープルタブを保持するように、その磁場がジッパープルタブを整列させるように配向される。一実施形態では、ジッパープルタブの長さＬは、プラットフォームの長さに沿って配向され、ジッパープルタブがプラットフォームの外面２４に対して磁気的に保持されるとき、ジッパープルタブの幅寸法Ｗは、プラットフォームの幅に沿って配向される。いくつかの実施態様において、各ジッパープルタブの長さＬ寸法は、ジッパーテープに対して実質的に垂直に配向される。いくつかの実施態様において、各ジッパープルタブの長さＬ寸法は、ジッパーテープに垂直に配向される。
【０１１１】
図１の実施形態では、各ジッパープルタブ１８、２２は、ジッパープルタブ磁石を有し、ジッパープルタブ磁石は、プラットフォーム内のそれぞれのプラットフォーム磁石と嵌合するように、反対方向に配向され、その結果、ジッパープルタブは、それぞれのジッパー磁石およびプラットフォーム磁石によってプラットフォームに対して磁気的に保持される。
【０１１２】
ここで、プラットフォーム２６上のジッパープルタブ１８、２２の特定の方向を容易にするための磁石の動作を説明する。プラットフォーム上の特定の位置における各ジッパープルタブの位置決めは、プラットフォーム磁石の反対極性を有することによって、およびジッパープルタブの反対極性を有することによって達成することができる。例えば、第一のプラットフォーム磁石は、外側プラットフォーム表面と同じ方向に直面する北極性を有する。第２のプラットフォーム磁石は、外側のプラットフォーム表面と同じ方向に面するＳ極を有する。第１のジッパープルタブは、第１のプラットフォーム磁石の近くの位置に着座するように構成される。第１のジッパープルタブは、第１のプラットフォーム磁石のＮ極に面するＳ極を有するジッパー磁石を有し、第１のジッパープルタブは、第１のプラットフォーム磁石に近い位置に着座し、長手方向に整列することができる。第２のジッパープルタブは、第２のプラットフォーム磁石の近くの位置に着座するように構成される。第２のジッパープルタブは、第２のプラットフォーム磁石のＳ極に面するＮ極を有するジッパー磁石を有し、第２のジッパープルタブは、第２のプラットフォーム磁石の近くの位置に着座し、長手方向に整列される。
【０１１３】
この装置により、プラットフォームは、第１のプラットフォーム磁石に近い外側プラットフォーム表面上の第１の位置を有する。第１の位置は、第１のジッパープルタブを支持するように構成される。また、プラットフォームは、第２のプラットフォーム磁石の近くの外側プラットフォーム表面上に第２の位置を有する。第２の位置は、第２のジッパープルタブを支持するように構成されている。
【０１１４】
この構成により、使用者が第１のジッパープルタブをプラットフォームの方に引っ張り、ジッパープルタブをプラットフォームの方に回転させると、第１のプラットフォーム磁石と第１のジッパー磁石との間の磁力が作用して、第１のジッパープルタブをプラットフォームの第１の位置に着座した位置に引っ張る。このようにして、第１のジッパープルタブは、第１のプラットフォーム磁石の近くに磁気的に保持される。同様に、使用者が第１のジッパープルタブを第２の位置に配置しようとすると、第２のプラットフォーム磁石は第１のジッパープルタブを反発させるように作用する。同様に、第２のジッパープルタブは、第２のプラットフォーム磁石の近くに磁気的に保持される。
【０１１５】
図示の実施形態では、プラットフォーム磁石の下のプラットフォーム磁石間の間隔は、ジッパープルタブの１つがプラットフォーム上に着座したときに、他のジッパープルタブがその後プラットフォーム上に着座する余地があるため、ジッパー装置は閉じた状態にある。特に、作業台の第１の位置に第１のジッパープルタブが装着されている状態で、使用者は、第２のジッパープルタブを作業台の方へ引っ張り、第２のジッパープルタブを作業台の方へ回転させる。第２のプラットフォーム磁石と第２のジッパー磁石との間の磁力は、ジッパー付きポケットを実質的に閉じるように、プラットフォーム上の第１のジッパープルタブに近接するプラットフォーム上の第２の位置に、第２のジッパープルタブを引っ張るように作用する。
【０１１６】
使用者が第１のジッパープルタブと第２のジッパープルタブをプラットフォームとかみ合わせる順序は重要ではない。逆にすることもできる。第１のジッパープルタブおよび第２のプラットフォーム磁石と同様に、第１のプラットフォーム磁石は、第２のジッパープルタブがプラットフォーム上の第１の位置に着座するのを反発させるように作用するように構成される。
【０１１７】
いくつかの実施態様において、各ジッパープルタブをジッパーテープに対して実質的に垂直な配置で保持するための手段は、磁気手段及び／又は別の手段を含む。いくつかの実施形態では、磁気手段は、永久磁石、非永久磁石、および／または電磁石からの磁力に依存する。いくつかの実施形態では、各ジッパープルタブは、プラットフォームの位置決め磁石およびジッパープルタブのジッパー磁石による磁力によって、プラットフォームの外面と係合して保持され得る。
【０１１８】
いくつかの実施形態では、各ジッパープルタブは、プラットフォーム上の特定の位置に磁気的に引き付けられる。
【０１１９】
図９は、図１のバックパック１０の実施形態の正面図を示す。図示するように、プラットフォーム２６は、バックパック１０の側面に配置されており、これにより、邪魔にならず、バッグの正面図から容易には見えない。第１のジッパープルタブ１８及び第２のジッパープルタブ２２は、プラットフォーム２６の表面２４に対して磁気的に保持され、その結果、第１のジッパープルタブ１８及び第２のジッパープルタブ２２は、バックパック１０の側面から自由に垂れ下がることがない。ジッパープルタブ保持装置の１つの利点は、ジッパープルタブをバッグの表面に対して保持することができ、この正面図に見られるように、目立たないように保持することができることであると理解される。
【０１２０】
いくつかの実施形態において、本開示によるプラットフォームおよび少なくとも１つのジッパープルタブは、ラッゲージ製品とは別個に設けられてもよい。プラットフォームおよびジッパープルタブは、その後、ラッゲージ製品に固定することができる。いくつかの実施形態において、本開示は、プラットフォームおよび本開示による少なくとも１つのジッパープルタブを組み込んだラッゲージ製品を提供する。
【０１２１】
いくつかの実施形態では、ジッパー装置は、少なくとも２つのジッパースライダー及び少なくとも２つのジッパープルタブを含み、少なくとも２つのジッパースライダーのそれぞれは、少なくとも２つのジッパープルタブのそれぞれ１つに結合される。
【０１２２】
各ジッパープルタブは、ラッゲージ製品の外面上の嵌合磁気プラットフォームに磁気的に固定可能である。いくつかの実施形態では、ジッパープルタブがプラットフォームに対して磁気的に保持されると、ジッパープルタブは、ジッパーテープの方向に対して垂直に延びる。
【０１２３】
ジッパー装置が１つのジッパープルタブのみを含み、プラットフォームがジッパーテープの端部に位置する場合、プラットフォームはジッパープルタブをしっかりと保持するように構成されるので、ジッパー装置は閉じた状態にある。ジッパー装置が、２つのジッパープルタブを含む場合、プラットフォームは、ジッパープルタブをプラットフォーム上にしっかりと保持するように構成されるので、ジッパー装置は、閉じた状態にある。作業台の迅速な目視検査を通して、個人は、ジッパー装置が閉じた状態にあるか否かを判断することができる。
【０１２４】
ジッパー装置が２つのジッパープルタブを含むいくつかの実施形態では、第１のジッパープルタブは、プラットフォーム上の第１の位置に磁気的に引き付けられ、プラットフォーム磁石の磁気的極性に基づいて、プラットフォーム上の第２の位置から磁気的に反発される。いくつかの実施形態では、第２のジッパープルタブは、プラットフォーム上の第１の位置から磁気的に反発され、プラットフォーム上の第２の位置に磁気的に引き付けられる。このようにして、使用者は、プラットフォーム内のそれぞれの磁石およびジッパープルタブ内のそれぞれの磁石の磁場がそれぞれのジッパープルタブを正しく着座させるように作用するように、プラットフォームの十分近くに各ジッパープルタブを運ぶことができる。それぞれのジッパープルタブが正しく装着されることによって、それぞれのジッパープルタブは、プラットフォーム上の第１の位置またはプラットフォーム上の第２の位置のいずれか、またはそのそれぞれのジッパープルタブの所定の位置に磁気的に保持される。
【０１２５】
本開示のプラットフォームおよびジッパープルタブは、各々がジッパーによって固定された１つまたは複数の開口部を有する様々なラッゲージ製品に適用することができる。例えば、プラットフォーム及びジッパープルタブは、スーツケース、バックパック、ハンドバッグ、メッセンジャーバッグ、ダッフルバッグ、スポーツ用具バッグ、ブリーフケース、ビジネスケース、ラップトップケース、又はジッパーによって固定された開口部を有する同様のケースの形態のラッゲージ製品に適用することができる。いくつかの実施態様において、ラッゲージ製品は、車輪を含む。例えば、いくつかの実施態様において、ラッゲージ製品は、車輪を有するスーツケースである。
【０１２６】
ラッゲージ製品は、柔らかいシェル、硬いシェル、又は硬いシェル部分と柔らかいシェル部分との組み合わせを有する本体を含むことができる。ラッゲージ製品は、様々な形状の１つを有する本体を含むことができる。例えば、いくつかの実施態様において、ラッゲージ製品の本体は、立方形の形状、長方形の固形の形状、湾曲した形状又は別の形状を有する。
【０１２７】
ラッゲージ製品は、外面を含む。少なくとも１つの内部部分は、ジッパー付き開口部を介してアクセス可能である。いくつかの実施態様において、少なくとも１つの内側部分は、内側ライニングを含む。
【０１２８】
本開示の別の態様では、上述したラッゲージ製品を組み立てる方法が提供される。本方法のいくつかの実施形態は、外面を有する本体を提供することを含み、本体は、ジッパーテープを有する少なくとも１つのジッパー装置を有するジッパー開口部を含む。ジッパー装置は、少なくとも２つのジッパースライダー及び少なくとも２つのジッパープルタブを含む。少なくとも２つのジッパースライダーの各々は、少なくとも２つのジッパープルタブのそれぞれの１つに結合される。少なくとも２つのジッパープルタブには、第１のジッパープルタブと第２のジッパープルタブがある。本方法のいくつかの実施形態は、少なくとも２つのジッパープルタブを、ジッパー装置のジッパーテープに実質的に垂直な配置で保持するための手段を提供することをさらに含む。
【０１２９】
本開示のプラットフォームおよびジッパープルタブの実施形態は、従来技術を超えるいくつかの利点を提供する。例えば、プラットフォームとジッパープルタブとの磁気的係合は、ラッゲージ製品上のジッパープルタブの特定の位置合わせを容易にする。この配置により、使用者は、少なくとも１つのジッパープルタブを容易に位置合わせすることができるので、ジッパー付き開口部のジッパーテープに垂直に延びる。いくつかの実施形態では、使用者は、２つのジッパープルタブを整列させることができるので、ジッパー付き開口部のジッパーテープに対して垂直に延びる。この構成により、使用者は、ジッパープルタブが使用されていないときに、ジッパープルタブの並んだ配列において、かつ、ラッゲージ製品上のジッパーテープに対して実質的に垂直に、２つのジッパープルタブを並べて保持することができる。このような取り決めの利点は、ジッパープルタブが使用しやすく、固定されていて途中から離れた位置と向きに保持されることである。また、このアレンジメントの別の利点は、ジッパープルタブとジッパーテープの金属歯との間に磁気吸引力がまったくないので、金属でないジッパーテープと共に使用できることである。
【０１３０】
いくつかの実施形態では、使用者は、ジッパープルタブの１つをジッパーテープと垂直に整列させたままにしておくことができ、一方、使用者は、他方のジッパープルタブを開位置に移動させることができるので、使用者は、ラッゲージ製品の内部にアクセスすることができる。使用者がジッパー付き開口部をより広く開けたい場合、使用者は両方のジッパープルタブをプラットフォームから離して動かし、ジッパー付き開口部に沿ってジッパープルタブを動かして、ジッパー付き開口部を完全に開くことができる。使用者がラッゲージ製品のジッパー付き開口部を閉じる準備が整うと、使用者はプラットフォーム上のジッパープルタブを整列させることができる。いくつかの実施形態では、プラットフォームの磁石及びジッパープルタブは、最初のジッパープルタブをプラットフォーム上に再配置する必要なく、他のジッパープルタブがそれ自体をプラットフォーム上に着座させる余地を残すように、各ジッパープルタブ自体がプラットフォーム上の適切な位置に正しく着座するように構成される。
【０１３１】
本開示のプラットフォームおよびジッパープルタブは、ジッパー付き開口部の安全性を高める。ジッパープルタブはプラットフォームと磁気的係合状態で保持されるので、ジッパープルタブは、ラッゲージ製品のパネルに開口力が加えられた場合には、閉位置でジッパー付き開口部を保持する可能性がより高い。ロックを必要とせずに、このようにセキュリティが向上する。指の器用さに制限がある個人は、輸送セキュリティ管理局（ＴＳＡ）の承認済みロックやその他のラッゲージ用ロックなど、ロックを開くのが難しいことを見つける可能性がある。いくつかの実施形態では、指の器用さに制限がある人がジッパープルタブをプラットフォームから容易に外すことができるように、ジッパープルタブをプラットフォームに対して保持する磁力が構成されている。
【０１３２】
また、本開示のプラットフォームおよびジッパープルタブは、視界が制限されている個々に利点を提供する。視界が限られている人は、ジッパープルタブの一部をロックのスロットに挿入することが困難であることを発見することができる。本開示のプラットフォームおよびジッパープルタブは、限定された視覚を有する個人が、ジッパープルタブをプラットフォーム上の確実な位置に容易に整列させることを可能にする。使用者は、特にプラットフォームがその周囲に沿って隆起部を有する実施形態において、ジッパー付き開口部に隣接するプラットフォームを容易に位置決めすることができる。個人がプラットフォームの近くでジッパープルタブを動かすと、磁力によってジッパープルタブがプラットフォームと隣接する向きに整列する。個人がジッパー付き開口部を開けたい場合、個人はロックコードを入力する必要はない。ジッパー付き開口部を開く前に、個々の小さなボタンの位置を確認し、押す必要はない。
【０１３３】
本開示のプラットフォーム及びジッパープルタブは、ラッゲージの美的外観を改善しつつ、複数のジッパープルタブを含むことができるジッパー付き開口部、及びジッパープルタブのクリーナ装置を提供する。
【０１３４】
上述したように、本開示のジッププラー装置は、使用者がジッププルタブを見つけやすくすること、ジッププルタブを邪魔にならないようにすること、及びジッププルタブがスイングして、おそらく使用中のバッグ及び他の物体に損傷を与えることを防止する（又は少なくとも制限する）ことなどの様々な利点を提供する。本開示のジッププラー装置は、プルタブを保持することを補助する。加えて、プラットフォームは、プルタブが損傷を引き起こさないように、バッグ上に強化された場所を提供する。また、プルタブがジッパーテープと直角になるように保持することで、使用者がプルタブを握りやすくなり、ジッププルタブがジップテープに損傷を与えないようになる。
【０１３５】
本開示の一態様によれば、添付の特許請求の範囲に記載されているような改良されたラッゲージ製品が提供される。
【０１３６】
開示された主題は、本明細書において、特定の例示的な実施形態に関して記載されているが、当業者は、その技術的範囲から逸脱することなく、開示された主題に対して種々の変更及び改良を行うことができることを認識するであろう。このように、開示された主題が、他の任意の可能な置換及び組合せを有する他の実施態様にも特に向けられたものとして認識されるべきであるように、開示された主題の技術的範囲内で、以下に主張し、上に開示された特定の特徴を互いに態様で組み合わせることができる。開示された主題の精神又は範囲から逸脱することなく、開示された主題のシステム及び方法において、様々な修正及び変形を行うことができることは、当業者にとって明らかであろう。従って、開示された主題は、添付クレーム及びその同等物の技術的範囲内にある修正及び変形を含むことが意図されている。
【符号の説明】
【０１３７】
１０      バックパック
１２      バックパックの外面
１４      ジッパーテープ
１５      第１のジッパー付き開口部
１６      第１のジッパースライダー
１８      第１のジッパープルタブ
２０      第２のジッパースライダー
２２      第２のジッパープルタブ
２４      プラットフォーム２６の外面
２６      プラットフォーム
２８      隆起部
３０      プラットフォームの周囲
３２      第１のプラットフォーム磁石
３４      第２のプラットフォーム磁石
３６      プラットフォーム２６の内面
３８      ライニング
５０      ジッパープルタブフレーム
５２      長手方向に延びるフレーム部分
５４      横方向に延びるフレーム部分
５６      ジッパープルタブフレームの表面
５８      ジッパー磁石
６０      ジッパープルタブ本体
６２      オーバーモールディング
６４      非平坦化表面
Ｌ        ジッパープルタブの長さ寸法
Ｗ        ジッパープルタブの幅寸法
【図１】
2021534838.tif 000003
【図２】
2021534838.tif 000004
【図３】
2021534838.tif 000005
【図４】
2021534838.tif 000006
【図５】
2021534838.tif 000007
【図６】
2021534838.tif 000008
【図７】
2021534838.tif 000009
【図８】
2021534838.tif 000010
【図９】
2021534838.tif 000011
【手続補正書】
【提出日】令和3年6月18日(2021.6.18)
【手続補正１】
【補正対象書類名】特許請求の範囲
【補正対象項目名】全文
【補正方法】変更
【補正の内容】
【特許請求の範囲】
【請求項１】
ジッパーテープを有するジッパー装置と、
前記ジッパーテープに結合された第１のジッパースライダーを含む少なくとも１つのジッパースライダーと、
前記第１のジッパースライダーに結合された第１のジッパープルタブを含む少なくとも１つのジッパープルタブと、
前記第１のジッパープルタブが前記ジッパー装置の前記ジッパーテープに実質的に垂直な配置で保持されるように、使用されていないときに前記第１のジッパープルタブを固定位置に保持するための保持手段であって、プラットフォームの内面に結合された第１の位置決め磁石を有するプラットフォームを含む、保持手段と、
を備えるジッププラー保持装置。
【請求項２】
前記保持手段はプラットフォームを含み、前記第１のジッパープルタブは第１のジッパー磁石を含み、前記プラットフォームおよび前記第１のジッパープルタブは、前記第１のジッパー磁石と前記プラットフォームとの間の第１の磁力によって、前記第１のジッパー磁石が前記プラットフォームの外面に係合して保持されるように構成される、請求項１に記載のジッププラー保持装置。
【請求項３】
前記プラットフォームは金属である、請求項２に記載のジッププラー保持装置。
【請求項４】
前記第１のジッパープルタブは第１のジッパー磁石を含み、前記プラットフォームおよび前記第１のジッパープルタブは、前記第１のジッパー磁石と前記第１の位置決め磁石との間の第１の磁力によって、前記第１のジッパー磁石が前記プラットフォームの外面に係合して保持されるように構成される、請求項１に記載のジッププラー保持装置。
【請求項５】
前記第１の位置決め磁石は第１の極性を有し、前記第１のジッパー磁石は前記第１の極性と反対の第２の極性を有する、請求項４に記載のジッププラー保持装置。
【請求項６】
前記プラットフォームは、前記プラットフォームの周囲の一部に沿った隆起部を有し、該隆起部は前記プラットフォームの前記外面を越えて外方に延在する、請求項４に記載のジッププラー保持装置。
【請求項７】
前記プラットフォームは４つの側面を有し、前記側面のうちの３つは前記隆起部を含み、第４の側面は前記隆起部を含まない、請求項６に記載のジッププラー保持装置。
【請求項８】
前記プラットフォームは、前記第１のジッパープルタブの第１の側面が前記プラットフォームの前記外面と係合するように、大きさを決められ、かつ構成され、それにより、前記隆起部は実質的に前記第１のジッパープルタブの周囲を取り囲む、請求項６に記載のジッププラー保持装置。
【請求項９】
前記プラットフォームは、プラスチック、レザー、および金属のうちの少なくとも１つを含む、請求項１に記載のジッププラー保持装置。
【請求項１０】
前記第１のジッパースライダー及び第２のジッパースライダーを含む少なくとも２つのジッパースライダーと、前記第１のジッパープルタブ及び第２のジッパープルタブを含む少なくとも２つのジッパープルタブとをさらに含み、前記少なくとも２つのジッパースライダーのそれぞれは、前記少なくとも２つのジッパープルタブのそれぞれに結合され、前記第１のジッパープルタブは、第１のジッパー磁石に結合され、第２のジッパープルタブは第２のジッパー磁石に結合される、請求項１に記載のジッププラー保持装置。
【請求項１１】
前記プラットフォームは、該プラットフォームの前記内面に結合された少なくとも２つの位置決め磁石を含み、該少なくとも２つの位置決め磁石は、前記第１の位置決め磁石および第２の位置決め磁石を含み、前記少なくとも２つのジッパープルタブおよび前記プラットフォームは、前記第１のジッパー磁石と前記第１の位置決め磁石との間の第１の磁力によって、前記第１のジッパー磁石が前記プラットフォームの外側に係合して保持され、前記第２のジッパー磁石と前記第２の位置決め磁石との間の第２の磁力によって、前記第２のジッパー磁石が前記プラットフォームの外側に係合して保持されるように構成される、請求項１０に記載のジッププラー保持装置。
【請求項１２】
前記第１の位置決め磁石は第１の極性を有し、前記第１のジッパー磁石は前記第１の極性と反対の第２の極性を有し、前記第２の位置決め磁石は前記第２の極性を有し、前記第２のジッパー磁石は前記第１の極性を有する、請求項１１に記載のジッププラー保持装置。
【請求項１３】
各ジッパープルタブは長手方向軸を有する細長い本体を有し、前記長手方向軸は、それぞれのジッパープルタブが前記プラットフォームの外面と係合して保持されるときに、ジッパー付き開口部の縁部に対して実質的に垂直に延びる、請求項１１に記載のジッププラー保持装置。
【請求項１４】
各ジッパープルタブは、プルタブフレームと、該プルタブフレームに結合されたジッパー磁石のそれぞれの１つと、該ジッパー磁石および前記プルタブフレームの上に配置された把持面とを含む、請求項１１に記載のジッププラー保持装置。
【請求項１５】
各ジッパー磁石は、摩擦嵌合および接着剤の１つ以上によって前記プルタブフレームに結合される、請求項１４に記載のジッププラー保持装置。
【請求項１６】
前記把持面はゴムを含む、請求項１４に記載のジッププラー保持装置。
【請求項１７】
各プルタブフレームは金属を含む、請求項１４に記載のジッププラー保持装置。
【請求項１８】
前記プラットフォームは、該プラットフォームの周囲の一部に沿った隆起部を有し、該隆起部は前記プラットフォームの外面を越えて外方に延在する、請求項１１に記載のジッププラー保持装置。
【請求項１９】
前記プラットフォームは４つの側面を有し、該側面のうちの３つは前記隆起部を含み、第４の側面は前記隆起部を含まない、請求項１８に記載のジッププラー保持装置。
【請求項２０】
前記プラットフォームは、前記第１のジッパープルタブの第１の側面が前記プラットフォームの前記外面と係合し、前記隆起部が実質的に前記第１のジッパープルタブの周囲を取り囲むように、寸法を決定され、及び構成される、請求項６に記載のジッププラー保持装置。
【請求項２１】
前記プラットフォームは、前記第１のジッパープルタブの第１の側面が前記プラットフォームの前記外側と係合し、かつ前記第２のジッパープルタブの第１の側面が前記プラットフォームの前記外側と係合するように、寸法を決定され、及び構成され、それにより、前記隆起部が、実質的に、前記第１のジッパープルタブおよび前記第２のジッパープルタブの周囲を取り囲む、請求項１８に記載のジッププラー保持装置。
【請求項２２】
前記プラットフォームはジッパー付き開口部に近接するラッゲージ製品に取り付けられ、該ラッゲージ製品は外面を有する本体を含み、該本体は前記ジッパーテープによって固定された前記ジッパー付き開口部を含む、請求項２に記載のジッププラー保持装置。
【請求項２３】
前記プラットフォームは、前記本体の外面に、好ましくはステッチングおよび接着剤の１つによって固定される、請求項２２に記載のジッププラー保持装置。
【請求項２４】
前記プラットフォームは、前記本体の前記外面の側面パネルに取り付けられる、請求項２２に記載のジッププラー保持装置。
【請求項２５】
前記ラッゲージ製品は、前記本体の内面に固定される内側ライニングを含み、前記少なくとも１つの位置決め磁石は、前記プラットフォームの前記内面と前記内側ライニングとの間に配置される、請求項２２に記載のジッププラー保持装置。
【請求項２６】
前記ラッゲージ製品は、スーツケース、バックパック、ブリーフケース、ハンドバッグ、メッセンジャーバッグ、ダッフルバッグ、およびスポーツ用具バッグのいずれかである、請求項２２に記載のジッププラー保持装置。
【請求項２７】
外面を有する本体であって、ジッパーテープを有する少なくとも１つのジッパー装置によって固定されたジッパー付き開口部を有する本体であって、
前記ジッパー装置は少なくとも２つのジッパースライダーおよび少なくとも２つのジッパープルタブを含み、前記少なくとも２つのジッパープルタブのそれぞれは、前記少なくとも２つのジッパープルタブのそれぞれに結合され、前記少なくとも２つのジッパープルタブは、第１のジッパープルタブおよび第２のジッパープルタブを含む、本体と、
前記ジッパープルタブが使用されていないときに、前記少なくとも２つのジッパープルタブを前記ジッパー装置の前記ジッパーテープに実質的に垂直な配置で保持する保持手段と、を含む、ラゲッジ製品。
【請求項２８】
前記保持手段は、前記第１のジッパープルタブが第１のジッパー磁石に結合され、前記第２のジッパープルタブが第２のジッパー磁石に結合されている、請求項２７に記載のラゲッジ製品。
【請求項２９】
前記保持手段は、プラットフォームの内面に結合された少なくとも２つの位置決め磁石を備え、該少なくとも２つの位置決め磁石は、第１の位置決め磁石および第２の位置決め磁石を含み、前記少なくとも２つのジッパープルタブおよび前記プラットフォームは、前記第１のジッパー磁石と前記第１の位置決め磁石との間の第１の磁力によって、前記第１のジッパー磁石が前記プラットフォームの外面に係合して保持され、前記第２のジッパー磁石と前記第２の位置決め磁石との間の第２の磁力によって、前記第２のジッパー磁石が前記プラットフォームの外面に係合して保持されるように構成される、請求項２８に記載のラゲッジ製品。
【請求項３０】
前記第１の位置決め磁石は第１の極性を有し、前記第１のジッパー磁石は、前記第１の極性と反対の第２の極性を有し、前記第２の位置決め磁石は前記第２の極性を有し、前記第２のジッパー磁石は前記第１の極性を有する、請求項２９に記載のラゲッジ製品。
【請求項３１】
各ジッパープルタブは長手方向軸を有する細長い本体を備え、前記長手方向軸は、それぞれのジッパープルタブがプラットフォームの外面と係合して保持されているときに、ジッパー付き開口部の縁部に実質的に垂直に延びる、請求項２９に記載のラゲッジ製品。
【請求項３２】
前記プラットフォームは、好ましくはステッチと接着剤の１つによって、前記本体の前記外面に固定される、請求項３１に記載のラゲッジ製品。
【請求項３３】
前記プラットフォームは該プラットフォームの周囲の一部に沿って隆起部を有し、該隆起部は、前記プラットフォームの前記外面を越えて外方に延在する、請求項２９に記載のラゲッジ製品。
【請求項３４】
前記プラットフォームは４つの側面を有し、該側面のうちの３つは前記隆起部を含み、第４の側面が前記隆起部を含まず、前記プラットフォームは、前記第１のジッパープルタブの第１の側面と、第２のジッパープルタブの第１の側面とが、前記プラットフォームの前記外面と並んで係合し、かつ前記隆起部が、実質的に、前記第１および第２のジッパープルタブの周囲を取り囲むように、寸法を決定され、及び構成される、請求項３３に記載のラゲッジ製品。
【請求項３５】
前記本体の内面に固定される前記本体の内側ライニングをさらに備え、前記少なくとも２つの位置決め磁石は、前記プラットフォームの前記内面と前記内側ライニングとの間に配置される、請求項３２に記載のラゲッジ製品。
【請求項３６】
各ジッパープルタブはプルタブフレームを含み、各ジッパー磁石は、好ましくは、摩擦嵌め合い及び接着剤の１つ以上によって前記プルタブフレームに結合され、把持面が前記各ジッパー磁石及び前記プルタブフレームの上に配置される、請求項２９に記載のラゲッジ製品。
【請求項３７】
前記把持面はゴムを含む、請求項３６に記載のラゲッジ製品。
【請求項３８】
前記ゴムはエンボス加工される、請求項３７に記載のラゲッジ製品。
【請求項３９】
前記プルタブフレームは金属を含む、請求項３６に記載のラゲッジ製品。
【請求項４０】
前記プラットフォームは、プラスチック、金属、及び革のうちの少なくとも１つを含む、請求項２９に記載のラゲッジ製品。
【請求項４１】
前記本体は、スーツケース、バックパック、ブリーフケース、ハンドバッグ、メッセンジャーバッグ、ダフバッグ、およびスポーツ用具バッグのうちの１つの形態である、請求項２７に記載のラゲッジ製品。
【請求項４２】
前記プラットフォームは前記本体の前記外面の側面パネルに取り付けられる、請求項２９に記載のラゲッジ製品。
【請求項４３】
少なくとも１つのジッパープルタブをラゲッジ製品に保持する方法であって、第１のジッパープルタブを第１の磁力でプラットフォームに引き付けるステップを含む、方法。
【請求項４４】
第２の磁力で第２のジッパープルタブを前記プラットフォームに引き付けるステップをさらに含み、第１のジッパープルタブおよび第２のジッパープルタブが使用されていないときに、前記第１のジッパープルタブおよび前記第２のジッパープルタブが前記プラットフォームに対して並んで配置されて保持される、請求項４３に記載の方法。
【請求項４５】
前記プラットフォームを、ジッパー付き開口部を有するポケットを有する前記ラゲッジ製品の表面に固定するステップをさらに含む、請求項４４に記載の方法。
【請求項４６】
前記第１のジッパープルタブを引き付けるステップは、さらに、前記第１のジッパープルタブの長手方向軸が、前記ラゲッジ製品のジッパー付き開口部のエッジ部に実質的に垂直に延びるように、前記第１のジッパープルタブを引き付けるステップを含み、前記第２のジッパープルタブを引き付けるステップは、さらに、前記第２のジッパープルタブの長手方向軸が、前記ラゲッジ製品の前記ジッパー付き開口部の前記エッジ部に実質的に垂直に延びるように、前記第２のジッパープルタブを引き付けるステップを含む、請求項４４に記載の方法。
【請求項４７】
前記第１のジッパープルタブ及び前記第２のジッパープルタブが使用されていないときに、前記第１のジッパープルタブ及び前記第２のジッパープルタブの周囲を実質的に取り囲む隆起部を設けるステップを更に含む、請求項４４に記載の方法。
【国際調査報告】
2021534838.tif 000012